(57)【特許請求の範囲】
【請求項１】
予め格納されている複数の情報から指定された条件に関する指定条件情報に適合する適合情報を抽出する情報検索装置であって、
前記指定条件情報に含まれる文言の類義語に関する類義語情報を取得する類義語情報取得部と、
前記指定条件情報に含まれる文言及び前記類義語を検索語として、前記適合情報を抽出する情報抽出部と、
前記指定条件情報及び前記類義語情報を表示させる抽出条件表示情報を生成する抽出条件表示情報生成部と、
前記抽出結果を表示する抽出結果処理部とを有し、
前記抽出条件表示情報生成部は、前記指定条件情報に含まれる文言と当該文言の類義語とを関連付け、且つ前記指定条件情報に含まれる文言と当該文言の類義語とを異なる態様で表示するようにし、
前記抽出結果処理部は、前記抽出された複数の適合情報及び複数の前記検索語のうち一方を行とし、他方を列とするマトリクスを構成し、前記マトリクスにおける各セルに、当該セルが対応する前記適合情報において当該セルが対応する前記検索語が用いられている回数に応じた大きさの円を表示するように抽出結果を表示することを特徴とする、情報検索装置。
【請求項２】
前記抽出条件表示情報生成部は、前記指定条件情報に含まれる文言と当該文言の類義語との関連付けを示す図形または記号を表示するように前記抽出条件表示情報を生成することを特徴とする、請求項１に記載の情報検索装置。
【請求項３】
前記指定条件情報に含まれる文言及び前記類義語の夫々について前記適合情報を抽出する際の条件として用いることを指定する検索語指定情報を取得する検索語指定情報取得部を更に有し、
前記情報抽出部は、前記検索語指定情報において指定されている前記文言及び前記検索語指定情報において指定されている前記類義語に基づいて前記適合情報を抽出することを特徴とする、請求項１または２に記載の情報検索装置。
【請求項４】
前記抽出条件表示情報生成部は、ユーザの操作に応じて前記類義語情報の表示有無を切り換え可能なように前記抽出条件表示情報を生成することを特徴とする、請求項１乃至３いずれか１項に記載の情報検索装置。
【請求項５】
予め格納されている複数の情報から指定された条件に関する指定条件情報に適合する適合情報を抽出する情報検索装置における情報検索方法であって、
前記情報検索装置は、類義語情報取得部と、情報抽出部と、抽出条件表示情報生成部と、抽出結果処理部とを有し、
前記類義語情報取得部が、前記指定条件情報に含まれる文言の類義語に関する類義語情報を取得し、
前記情報抽出部が、前記指定条件情報に含まれる文言及び前記類義語を検索語として当該検索語に基づいて前記適合情報を抽出し、
前記抽出条件表示情報生成部が、前記指定条件情報及び前記類義語情報を表示させる抽出条件表示情報を生成し、
前記抽出条件表示情報生成部が、前記指定条件情報に含まれる文言と当該文言の類義語とを関連付け、且つ前記指定条件情報に含まれる文言と当該文言の類義語とを異なる態様で表示するようにし、
前記抽出結果処理部が、前記抽出された複数の適合情報及び複数の前記検索語のうち一方を行とし、他方を列とするマトリクスを構成し、前記マトリクスにおける各セルに、当該セルが対応する前記適合情報において当該セルが対応する前記検索語が用いられている回数に応じた大きさの円を表示するように抽出結果を表示することを特徴とする、情報検索方法。
【請求項６】
請求項５に記載の情報検索方法を情報処理装置に実行させることを特徴とする制御プログラム。
【発明の詳細な説明】
【技術分野】
【０００１】
本発明は、情報検索装置、情報検索方法、制御プログラムに関し、特に文献情報の検索処理における画面表示に関する。
【背景技術】
【０００２】
電子データに対する検索技術、あるいは検索結果の表示技術は、検索対象の情報量の増大による検索結果数の増大のため、ますます重要な技術となっている。なぜなら、求める情報が大量の検索結果に埋もれてしまい、見つけることが困難になっているからである。このような検索技術として、例えば、入力された検索要求の解析により設定された検索条件に基づいて検索を実行し、その検索結果を所定のスコア算出手段により順序付けする技術が提案されている（例えば、特許文献１参照）。
【０００３】
特許文献１に開示された検索方法による検索結果表示は、設定された検索条件の表示及び検索条件に適合するものとして抽出された情報の表示によって行なわれる。検索条件であれば、“タイトル”や“作成者”、等の検索対象項目と検索キー（検索語）が表示され、検索結果であれば、検索によって抽出された情報が検索条件に対する適合度の高い順に表示される。
【０００４】
検索要求の解析による検索条件の設定において、入力された検索用文言の類義語を辞書検索して取得し、入力された文言に加えて取得された類義語も検索条件として設定する方法が用いられることがある。この場合、検索結果表示における検索情報の表示では、入力された文言及び取得された類義語が上述した検索語として表示される。
【０００５】
また、公開特許公報のＩＰＣ（Ｉｎｔｅｒｎａｔｉｏｎａｌ  Ｐａｔｅｎｔ  Ｃｌａｓｓｉｆｉｃａｔｉｏｎ）やＦＩ（Ｆｉｌｅ  Ｉｎｄｅｘ）等のように、検索対象の情報を分類する情報（以降、分類情報とする）が付加されている場合がある。このような場合において、検索結果として抽出された情報に付された分類情報の集計結果を表示する場合もある。例えば、抽出された夫々の情報に付されている分類情報を同一の分類情報毎にカウントし、カウント結果を表示する方法がある。
【特許文献１】特開２００７−２３３７５２号公報
【発明の開示】
【発明が解決しようとする課題】
【０００６】
しかしながら、検索用文言として複数の文言が入力されると、夫々の文言について類義語が取得され、検索条件として設定される。この場合、上記検索語の表示において、入力された文言及び取得された類義語の全てが表示されると、どの言葉がどの文言の類義語として取得されたのか判別が困難であるという課題がある。
【０００７】
また、検索条件に対する適合度の算出方法は各種提案されているが、その算出方法が必ずしもユーザの意図する情報の適合度を高く算出するとは限らない。従って、適合度を算出する前の、検索条件と検索対象情報との適合状況について、より理解し易いように表示することが求められる。
【０００８】
また、上述した分類情報のカウント結果表示においても、次のような問題がある。例えば、公開特許公報等の文献には、複数の技術分野にまたがる発明の公報等、複数のＩＰＣ若しくはＦＩが付されていることが多い。従って、夫々の分類情報毎のカウント結果を表示するのみでは、有効な情報とはならない可能性がある。
【０００９】
更に、検索条件に適合するものとして抽出された情報の表示順は、上述したように、適合度の高い順が一般的である。しかしながら、抽出された情報の一覧表示に際しては、適合度以外の要素に基づいて表示順序を変更した方が、情報の理解の助けになる可能性もある。
【００１０】
本発明は、上記実情を考慮してなされたものであり、情報の検索における検索条件の表示において、入力された検索文言と当該検索文言の類義語として取得された文言との対応関係の理解を容易化することを目的とする。
【００１１】
また、情報の検索における検索結果の表示において、検索条件と検索対象情報との適合度を算出する前の、検索条件と検索対象情報との適合状況について、よりユーザに理解し易いように表示することを目的とする。
【００１２】
また、検索対象の情報にその情報の内容に応じた分類情報が付されている場合において、付されている分類情報に基づいた検索結果表示の態様を、ユーザの理解を助けるより有効な態様とすることを目的とする。
【００１３】
また、検索条件に適合するものとして抽出された情報の一覧表示において、ユーザの理解を助けるように表示順序の設定を可能とすることを目的とする。
【課題を解決するための手段】
【００１４】
上記課題を解決するために、請求項１に記載の発明は、予め格納されている複数の情報から指定された条件に関する指定条件情報に適合する適合情報を抽出する情報検索装置であって、前記指定条件情報に含まれる文言の類義語に関する類義語情報を取得する類義語情報取得部と、前記指定条件情報に含まれる文言及び前記類義語を検索語として、前記適合情報を抽出する情報抽出部と、前記指定条件情報及び前記類義語情報を表示させる抽出条件表示情報を生成する抽出条件表示情報生成部と、前記抽出結果を表示する抽出結果処理部とを有し、前記抽出条件表示情報生成部は、前記指定条件情報に含まれる文言と当該文言の類義語とを関連付け、且つ前記指定条件情報に含まれる文言と当該文言の類義語とを異なる態様で表示するようにし、前記抽出結果処理部は、前記抽出された複数の適合情報及び複数の前記検索語のうち一方を行とし、他方を列とするマトリクスを構成し、前記マトリクスにおける各セルに、当該セルが対応する前記適合情報において当該セルが対応する前記検索語が用いられている回数に応じた大きさの円を表示するように抽出結果を表示することを特徴とする。
【００１５】
ここで、上記指定された条件とは、文献を検索する際の条件であり、ユーザによって指定される。この指定された条件の一例としては、本発明の実施形態における検索条件入力部３０３に入力される情報であり、抽出すべき文献に開示されている発明を特定するための文章やキーワードである。また、上記適合情報とは、上記指定された条件を満たす情報として抽出された情報である。この適合情報の一例としては、本発明の実施形態において抽出された特許公報である。
【００１６】
また、上記指定条件情報とは、上記指定された条件を示す情報であり、具体的には、上記指定された条件を記述するテキスト情報である。この指定条件情報の一例としては、本発明の実施形態における検索条件入力部３０３に入力される情報であり、抽出すべき文献に開示されている発明を特定するための文章やキーワードである。
【００１７】
また、指定条件情報に含まれる文言とは、ユーザによって入力された指定条件情報のうち、文献情報ＤＢ２００を検索する際に検索語として用いられるものである。上記文言の一例としては、本発明の実施形態において指定条件情報解析部１０２が図５（ａ）に示すように抽出する抽出単語である。また、上記類義語情報とは、ユーザによって入力された文言の類義語を示す情報である。上記類義語情報の一例としては、本発明の実施形態における指定条件情報解析部１０２によって辞書情報ＤＢ１４０から抽出される抽出類義語である。
【００１８】
また、請求項２に記載の情報検索装置は、請求項１に記載の情報検索装置において、前記抽出条件表示情報生成部は、前記指定条件情報に含まれる文言と当該文言の類義語との関連付けを示す図形または記号を表示するように前記抽出条件表示情報を生成することを特徴とする、請求項１に記載の情報検索装置。
【００１９】
また、請求項３に記載の発明は、請求項１または２に記載の情報検索装置において、前記指定条件情報に含まれる文言及び前記類義語の夫々について前記適合情報を抽出する際の条件として用いることを指定する検索語指定情報を取得する検索語指定情報取得部を更に有し、前記情報抽出部は、前記検索語指定情報において指定されている前記文言及び前記検索語指定情報において指定されている前記類義語に基づいて前記適合情報を抽出することを特徴とする。
【００２０】
また、請求項４に記載の発明は、請求項１乃至３いずれか１項に記載の情報検索装置において、前記抽出条件表示情報生成部は、ユーザの操作に応じて前記類義語情報の表示有無を切り換え可能なように前記抽出条件表示情報を生成することを特徴とする。
【００２４】
また、請求項５に記載の発明は、予め格納されている複数の情報から指定された条件に関する指定条件情報に適合する適合情報を抽出する情報検索装置における情報検索方法であって、前記情報検索装置は、類義語情報取得部と、情報抽出部と、抽出条件表示情報生成部と、抽出結果処理部とを有し、前記類義語情報取得部が、前記指定条件情報に含まれる文言の類義語に関する類義語情報を取得し、前記情報抽出部が、前記指定条件情報に含まれる文言及び前記類義語を検索語として当該検索語に基づいて前記適合情報を抽出し、前記抽出条件表示情報生成部が、前記指定条件情報及び前記類義語情報を表示させる抽出条件表示情報を生成し、前記抽出条件表示情報生成部が、前記指定条件情報に含まれる文言と当該文言の類義語とを関連付け、且つ前記指定条件情報に含まれる文言と当該文言の類義語とを異なる態様で表示するようにし、前記抽出結果処理部が、前記抽出された複数の適合情報及び複数の前記検索語のうち一方を行とし、他方を列とするマトリクスを構成し、前記マトリクスにおける各セルに、当該セルが対応する前記適合情報において当該セルが対応する前記検索語が用いられている回数に応じた大きさの円を表示するように抽出結果を表示することを特徴とする。
【００２５】
また、請求項６に記載の発明は、制御プログラムであって、請求項５に記載の情報検索方法を情報処理装置に実行させることを特徴とする。
【００２６】
また、本発明の参考例は、予め格納されている複数の情報から指定された条件に適合する適合情報を抽出する情報検索装置であって、前記指定された条件に関する指定条件情報を取得する指定条件情報取得部と、前記取得した指定条件情報に基づいて前記適合情報を抽出する情報抽出部と、前記抽出された適合情報に関する情報を表示する適合情報表示情報を生成して出力する適合情報表示情報生成部とを有し、前記指定条件情報は、複数の異なる単位条件を含み、前記適合情報表示情報生成部は、前記抽出された複数の適合情報及び前記複数の異なる単位条件のうち一方を行とし、他方を列とするマトリクスを構成し、前記マトリクスにおける各セルに、当該セルが対応する前記適合情報における当該セルが対応する前記単位条件の充足度に関する情報を表示するように前記適合情報表示情報を生成することを特徴とする。
【００２７】
ここで、上記指定された条件とは、文献を検索する際の条件であり、ユーザによって指定される。この指定された条件の一例としては、本発明の実施形態における検索条件入力部３０３に入力される情報であり、抽出すべき文献に開示されている発明を特定するための文章やキーワードである。また、上記適合情報とは、上記指定された条件を満たす情報として抽出された情報である。この適合情報の一例としては、本発明の実施形態において抽出された特許公報である。
【００２８】
また、上記指定条件情報とは、上記指定された条件を示す情報であり、具体的には、上記指定された条件を記述するテキスト情報である。この指定条件情報の一例としては、本発明の実施形態における検索条件入力部３０３に入力される情報であり、抽出すべき文献に開示されている発明を特定するための文章やキーワードである。
【００２９】
また、上記適合情報に関する情報とは、抽出された適合情報を示す情報や、上記指定された条件に対して適合情報がどの程度条件を満たしているかを示す情報である。上記適合情報に関する情報の一例としては、本発明の実施形態において図１３に示す抽出結果表示画面５００に表示される情報である。また、単位条件とは上記指定条件情報によって定められる条件を構成する最小単位の条件である。上記単位条件の一例としては、本発明の実施形態に係る検索語である。また、上記単位条件の充足度に関する情報とは、夫々の適合文献が夫々の単位条件をどの程度満たしているかを示す度合いである。上記単位条件の充足度の一例としては、本発明の実施形態に係る抽出結果表示画面５００の夫々のセルに表示されるヒット数である。
【００３０】
また、前記適合情報表示情報生成部は、前記適合文献における前記単位条件の充足態様に基づいて、前記複数の異なる単位条件を表示する並び順を決定することが好ましい。
【００３１】
また、前記適合情報表示情報生成部は、前記複数の異なる単位条件を、当該単位条件を充足する前記適合文献の数が少ない程、前記複数の適合文献の近くに表示するように前記適合情報表示情報を生成することが好ましい。
【００３２】
また、前記適合情報表示情報生成部は、前記複数の異なる単位条件を、夫々の単位条件の充足度が高い程、前記複数の適合文献の近くに表示するように前記適合情報表示情報を生成することが好ましい。
【００３３】
また、前記複数の異なる単位条件のうちいずれか１つ若しくは複数を指定する単位条件指定情報を取得する単位条件指定情報取得部を有し、前記適合情報表示情報生成部は、前記指定条件指定部によって指定されている単位条件の充足度に基づいて前記抽出された複数の適合文献の表示順を決定するように前記適合情報表示情報を生成することが好ましい。
【００３４】
また、ユーザによる操作情報を取得する操作情報取得部を有し、前記単位条件指定情報取得部は、前記単位条件が表示された表示領域に対するユーザの操作に基づき、前記表示領域に表示されている単位条件を指定する情報として前記単位条件指定情報を取得することが好ましい。ここで、上記表示領域とは、上記適合文献表示部が上記適合文献に関する情報を表示する画面において上記単位条件が表示されている領域である。上記表示領域の一例としては、本発明の実施形態に係るソート指示部５２１である。
【００３５】
また、前記適合情報表示情報生成部は、前記マトリクスにおいて、前記指定された単位条件を他の単位条件とは異なる態様で表示するように前記適合情報表示情報を生成することが好ましい。
【００３６】
また、複数の単位条件を単位条件群として指定する単位条件群指定情報を取得する単位条件群指定情報取得部を有し、前記適合情報表示情報生成部は、前記抽出された複数の適合情報及び前記構成された単位条件群のうち一方を行とし、他方を列とするマトリクスを構成し、前記マトリクスにおける各セルに、当該セルが対応する前記適合文献における当該セルが対応する前記単位条件群の充足度に関する情報を表示するように前記適合情報表示情報を生成することが好ましい。
【００３７】
ここで、上記単位条件群とは複数の単位条件のまとまりである。上記単位条件群の一例としては、本発明の実施形態に係る図１９に示すようにグループ化された複数の検索語である。また、上記単位条件群の充足度とは、夫々の適合情報が夫々の単位条件群に含まれる単位条件をどの程度満たしているかを示す度合いである。上記単位条件群の充足度の一例としては、本発明の実施形態に係る図１９に示す抽出結果表示画面５００の夫々のセルに表示されるヒット数である。
【００３８】
また、前記情報抽出部は、前記指定条件情報に含まれる文言の類義語に関する類義語情報を取得して前記文言及び前記類義語の夫々を前記単位条件として前記適合情報を抽出し、前記単位条件群指定情報は、前記文言及び当該文言の類義語を前記単位条件群として指定する情報を含むことが好ましい。
【００３９】
また、前記充足度のうち、前記適合情報のいずれか１つにおける前記単位条件のいずれか１つの充足度を指定する充足度指定情報を取得する充足度指定情報取得部と、前記充足度指定情報によって指定された充足度が対応する前記適合情報における前記単位条件の充足態様を表示するための充足態様表示情報を生成して出力する充足態様表示情報生成部とを有することが好ましい。
【００４０】
また、前記単位条件は、前記適合情報に含まれるべき文言を指定する情報であり、前記充足度は、前記適合情報において前記文言が用いられている回数に関する情報であり、前記充足態様表示情報生成部は、前記適合情報において前記文言が用いられている箇所を表示するように前記充足態様表示情報を生成することが好ましい。
【００４１】
また、前記充足態様表示情報生成部は、前記適合情報において前記文言を他の文章とは異なる態様で表示するように前記充足態様表示情報を生成することが好ましい。
【００４２】
また、前記充足態様表示情報生成部は、前記充足度指定情報において指定されている充足度に対応する前記単位条件の文言のみを、前記適合文献において他の文章とは異なる態様で表示するように前記充足態様表示情報を生成することが好ましい。
【００４３】
また、ユーザによる操作情報を取得する操作情報取得部を有し、前記充足度指定情報取得部は、前記セルが表示された表示領域に対するユーザの操作に基づき、当該表示領域に表示されている充足度を指定する情報として前記充足度指定情報を取得することが好ましい。
【００４４】
また、前記適合文献表示情報生成部は、前記適合情報を列とし、前記単位条件を行としてマトリクスを構成し、前記適合情報表示情報を生成することが好ましい。
【００４５】
また、前記適合文献表示情報生成部は、前記適合情報及び前記単位条件のうち、表示すべき項目の多い方を前記マトリクスにおける列とするように前記充足態様表示情報を生成することが好ましい。
【００４６】
また、ユーザによる操作情報を取得する操作情報取得部を有し、前記適合文献表示情報生成部は、前記適合文献及び前記単位条件のうち前記マトリクスにおいて列とするものを前記取得した操作情報に応じて決定することが好ましい。
【００４７】
また、本発明の他の参考例は、予め格納されている複数の情報から指定された条件に適合する適合情報を抽出する情報検索方法であって、指定条件情報取得部と、情報抽出部と、適合情報表示情報生成部とを有し、前記指定条件情報取得部が、前記指定された条件に関する情報であって複数の異なる単位条件を含む指定条件情報を取得し、前記情報抽出部が、前記取得した指定条件情報に基づいて前記適合情報を抽出し、適合情報表示情報生成部が、前記抽出された複数の適合情報及び前記複数の異なる単位条件のうち一方を行とし、他方を列とするマトリクスを構成し、前記マトリクスにおける各セルに、当該セルが対応する前記適合情報における当該セルが対応する前記単位条件の充足度に関する情報を表示するように前記充足態様表示情報を生成することを特徴とする。
【００４８】
また、本発明の他の参考例は、予め格納されている複数の情報から指定された条件に適合する適合情報を抽出する情報検索装置であって、前記指定された条件に関する指定条件情報を取得する指定条件情報取得部と、前記取得した指定条件情報に基づいて前記適合情報を抽出し、当該適合情報に関する抽出結果情報を生成する情報抽出部と、前記適合情報に付加されている付加情報に基づいて前記抽出結果情報を解析して解析情報を生成する抽出結果解析部と、前記生成された解析情報を表示するための解析結果表示情報を生成する解析結果表示情報生成部とを有し、前記抽出結果解析部は、前記抽出された適合情報のうち、複数の前記付加情報の組み合わせであって同一の組み合わせが付加されている前記適合情報の数をカウントし、前記解析結果表示情報生成部は、複数の前記組み合わせと夫々の前記組み合わせについて前記カウントした数とを関連付けて表示するように前記解析結果表示情報を生成することを特徴とする。
【００４９】
ここで、上記指定された条件とは、文献を検索する際の条件であり、ユーザによって指定される。この指定された条件の一例としては、本発明の実施形態における検索条件入力部３０３に入力される情報であり、抽出すべき文献に開示されている発明を特定するための文章やキーワードである。また、上記適合情報とは、上記指定された条件を満たす文献として抽出された情報である。この適合情報の一例としては、本発明の実施形態において抽出された特許公報である。
【００５０】
また、上記指定条件情報とは、上記指定された条件を示す情報であり、具体的には、上記指定された条件を記述するテキスト情報である。この指定条件情報の一例としては、本発明の実施形態における検索条件入力部３０３に入力される情報であり、抽出すべき文献に開示されている発明を特定するための文章やキーワードである。
【００５１】
また、上記抽出結果情報とは、上記抽出された適合情報の一覧を示す情報である。上記抽出結果情報の一例としては、本発明の実施形態に係る文献表示一覧情報である。また、上記付加情報とは、適合文献の種類やタイムスタンプ等、文献に付加されている情報である。上記付加情報の一例としては、公開特許公報に付加されるＩＰＣ等である。また、上記解析情報とは、抽出結果情報を解析した結果得られる情報である。上記解析情報の一例としては、本発明の実施形態に係る図２３に表示される情報である。
【００５２】
また、前記組み合わせに含める前記付加情報の数を指定する付加情報数指定情報を取得する付加情報数指定情報取得部を更に有し、前記抽出結果解析部は、前記付加情報数指定情報において指定されている数による前記付加情報の組み合わせに基づいて前記抽出結果情報を解析することが好ましい。
【００５３】
また、前記抽出結果表示情報生成部は、複数の前記組み合わせと夫々の前記組み合わせに含まれる付加情報に関する関連情報とを関連付けて表示するように前記解析結果表示情報を生成することが好ましい。ここで、上記関連情報とは、上記付加情報に関連付けられる情報である。上記関連情報の一例としては、本発明の実施形態に係る図２３に示される特徴的な言葉である。
【００５４】
また、前記付加情報は、前記適合情報が開示している情報に含まれる要素をその内容に基づいて分類した要素分類情報であり、前記抽出結果解析部は、複数の前記要素分類情報の組み合わせに基づいて前記抽出結果情報を解析することが好ましい。ここで、上記要素分類情報とは、適合文献夫々が開示している情報の要素を、その内容に基づいて分類した情報である。上記要素分類情報の一例としては、公開特許公報のＩＰＣ等である。
【００５５】
また、前記適合情報は、特許に関する情報を開示する文献であり、前記要素分類情報は、国際特許分類、ファイルインデックス、Ｆターム及びＣｕｒｒｅｎｔ  ＵＳ  Ｃｌａｓｓｉｆｉｃａｔｉｏｎのうち少なくともいずれか１つに関する情報とすることができる。
【００５６】
また、前記抽出結果表示情報生成部は、複数の前記組み合わせを前記カウントした数の順に並べて表示可能であるように前記解析結果表示情報を生成することが好ましい。
【００５７】
また、前記抽出条件表示情報生成部は、複数の前記組み合わせを当該組み合わせに含まれる前記付加情報に基づいて並べて表示可能であるように前記解析結果表示情報を生成することが好ましい。
【００５８】
また、前記付加情報は、前記適合情報が開示している情報に含まれる要素をその内容に基づいて分類した要素分類情報を含み、前記解析結果表示情報生成部は、複数の前記組み合わせを前記要素の内容が類似する順に並べて表示可能であるように前記解析結果表示情報を生成することが好ましい。
【００５９】
また、前記適合情報は、特許に関する情報を開示する文献の情報であり、前記要素分類情報は、国際特許分類、ファイルインデックス、Ｆターム及びＣｕｒｒｅｎｔ  ＵＳ  Ｃｌａｓｓｉｆｉｃａｔｉｏｎのうち少なくともいずれか１つに関する記号情報であり、前記解析結果表示情報生成部は、複数の前記組み合わせを前記記号情報に従って並べて表示可能であるように前記解析結果表示情報を生成することが好ましい。
【００６０】
また、本発明の他の参考例は、予め格納されている複数の情報であって付加情報の付加された情報から指定された条件に適合する適合情報を抽出する情報検索方法であって、指定条件情報取得部と、情報抽出部と、抽出結果解析部と、解析結果表示情報生成部とを有し、前記指定条件情報取得部が、前記指定された条件に関する指定条件情報を取得し、前記情報抽出部が、前記取得した指定条件情報に基づいて前記適合情報を抽出して当該適合情報に関する抽出結果情報を生成し、前記抽出結果解析部が、前記抽出された適合情報のうち、複数の前記付加情報の組み合わせであって同一の組み合わせが付加されている前記適合情報の数をカウントして解析結果情報を生成し、前記解析結果表示情報生成部が、複数の前記組み合わせと夫々の前記組み合わせについて前記カウントした数とを関連付けて表示するための解析結果表示情報を生成して出力することを特徴とする。
【００６１】
また、本発明の他の参考例は、予め格納されている複数の情報から指定された条件に適合する適合情報を抽出する情報検索装置であって、前記指定された条件に関する指定条件情報を取得する指定条件情報取得部と、前記取得した指定条件情報に基づいて前記適合情報を抽出し、当該適合情報に関する抽出結果情報を生成する情報抽出部と、前記適合情報に付加されている付加情報に基づいて前記抽出結果情報を解析して解析情報を生成する抽出結果解析部と、前記生成された解析情報を表示するための解析結果表示情報を生成する解析結果表示情報生成部とを有し、前記抽出結果解析部は、前記抽出された適合情報のうち、同一の前記付加情報が付加されている前記適合文献の数をカウントし、前記解析結果表示情報生成部は、複数の前記付加情報と夫々の前記付加情報について前記カウントした数とを関連付けて前記付加情報の内容に基づいて並べて表示可能なように前記解析結果表示情報を生成することを特徴とする。
【００６２】
ここで、上記指定された条件とは、文献を検索する際の条件であり、ユーザによって指定される。この指定された条件の一例としては、本発明の実施形態における検索条件入力部３０３に入力される情報であり、抽出すべき文献に開示されている発明を特定するための文章やキーワードである。また、上記適合情報とは、上記指定された条件を満たす文献として抽出された情報である。この適合情報の一例としては、本発明の実施形態において抽出された特許公報である。
【００６３】
また、上記指定条件情報とは、上記指定された条件を示す情報であり、具体的には、上記指定された条件を記述するテキスト情報である。この指定条件情報の一例としては、本発明の実施形態における検索条件入力部３０３に入力される情報であり、抽出すべき文献に開示されている発明を特定するための文章やキーワードである。
【００６４】
また、上記抽出結果情報とは、上記抽出された適合文献の一覧を示す情報である。上記抽出結果情報の一例としては、本発明の実施形態に係る文献表示一覧情報である。また、上記付加情報とは、適合文献の種類やタイムスタンプ等、文献に付加されている情報である。上記付加情報の一例としては、公開特許公報に付加されるＩＰＣ等である。また、上記解析情報とは、抽出結果情報を解析した結果得られる情報である。上記解析情報の一例としては、本発明の実施形態に係る図２３に表示される情報である。
【００６５】
また、前記解析結果表示情報生成部は、複数の前記付加情報を前記カウントした数の順に並べて表示可能であるように前記解析結果表示情報を生成することが好ましい。
【００６６】
また、前記付加情報は、前記適合文献が開示している情報に含まれる要素をその内容に基づいて分類した要素分類情報を含み、前記解析結果表示情報生成部は、前記付加情報を前記要素の内容が類似する順に並べて表示可能であるように前記解析結果表示情報を生成することが好ましい。
【００６７】
ここで、上記要素分類情報とは、適合文献夫々が開示している情報の要素を、その内容に基づいて分類した情報である。上記要素分類情報の一例としては、公開特許公報のＩＰＣ等である。
【００６８】
また、前記適合情報は、特許に関する情報を開示する文献の情報であり、前記付加情報は、国際特許分類、ファイルインデックス、Ｆターム及びＣｕｒｒｅｎｔ  ＵＳ  Ｃｌａｓｓｉｆｉｃａｔｉｏｎのうち少なくともいずれか１つに関する記号情報を含み、前記解析結果表示情報生成部は、前記付加情報を前記記号情報に従って並べて表示可能であるように前記解析結果表示情報を生成することが好ましい。
【００６９】
また、前記付加情報は、年月日に関する情報を含み、前記解析結果表示情報生成部は、前記付加情報を前記付加情報が示す年月日に従って時系列に並べて表示可能であるように前記解析結果表示情報を生成することが好ましい。
【００７０】
また、適合情報は、特許に関する情報を開示する文献の情報であり、前記付加情報は、前適合文献に係る特許が出願された年月日に関する情報を含み、前記解析結果表示情報生成部は、前記付加情報を前記付加情報が示す年月日に従って時系列に並べて表示可能であるように前記解析結果表示情報を生成することが好ましい。
【００７１】
また、適合情報は、特許に関する情報を開示する文献の情報であり、前記付加情報は、前適合文献に係る特許が公開された年月日に関する情報を含み、前記奇跡結果表示情報生成部は、前記付加情報を前記付加情報が示す年月日に従って時系列に並べて表示可能であるように前記解析結果表示情報を生成することが好ましい。
【００７２】
また、前記解析結果表示情報生成部は、前記付加情報と夫々の前記付加情報に関する関連情報とを関連付けて表示するように前記解析結果表示情報を生成することが好ましい。
【００７３】
また、前記抽出結果解析部は、前記抽出された適合文献のうち、複数の前記付加情報の組み合わせであって同一の組み合わせが付加されている前記適合文献の数をカウントし、前記解析結果表示情報生成部は、複数の前記組み合わせと夫々の前記組み合わせについて前記カウントした数とを関連付けて表示するように前記解析結果表示情報を生成することが好ましい。
【００７４】
また、前記組み合わせに含める前記付加情報の数を指定する付加情報数指定情報を取得する付加情報数指定情報取得部を更に有し、前記抽出結果解析部は、前記付加情報数指定情報において指定されている数による前記付加情報の組み合わせに基づいて前記抽出結果情報を解析することが好ましい。
【００７５】
また、本発明の他の参考例は、予め格納されている複数の情報であって付加情報の付加された情報から指定された条件に適合する適合情報を抽出する情報検索方法であって、指定条件情報取得部と、情報抽出部と、抽出結果解析部と、解析結果表示情報生成部とを有し、前記指定条件情報取得部が、前記指定された条件に関する指定条件情報を取得し、前記情報抽出部が、前記取得した指定条件情報に基づいて前記適合文献を抽出して当該適合文献に関する抽出結果情報を生成し、前記抽出結果解析部が、前記抽出された適合文献のうち、同一の前記付加情報が付加されている前記適合文献の数をカウントして解析情報を生成し、前記解析結果表示情報生成部が、複数の前記付加情報と夫々の前記付加情報について前記カウントした数とを関連付けて前記付加情報の内容に基づいて並べて表示するように前記解析情報を表示するための解析結果表示情報を生成することを特徴とする。
【発明の効果】
【００７６】
本発明の一態様によれば、情報の検索における検索条件の表示において、入力された検索文言と当該検索文言の類義語として取得された文言との対応関係の理解を容易化することができる。
【００７７】
また、本発明の一態様によれば、情報の検索における検索結果の表示において、検索条件と検索対象情報との適合度を算出する前の、検索条件と検索対象情報との適合状況について、よりユーザに理解し易いように表示することが可能となる。
【００７８】
また、本発明の一態様によれば、検索対象の情報にその情報の内容に応じた分類情報が付されている場合において、付されている分類情報に基づいた検索結果表示の態様を、ユーザの理解を助けるより有効な態様とすることが可能となる。
【００７９】
また、本発明の一態様によれば、検索条件に適合するものとして抽出された情報の一覧表示において、ユーザの理解を助けるように表示順序の設定が可能となる。
【発明を実施するための最良の形態】
【００８０】
以下、図面を参照して、本発明の実施形態を詳細に説明する。
実施の形態１.
本実施形態においては、特許文献を検索する文献検索装置を含む情報検索システムを例として説明する。
図１は、本実施の形態に係る情報検索システムの運用形態の例を示す図である。図１に示すように、本実施形態に係る情報検索システムは、情報検索装置１、クライアント装置２及び文献情報ＤＢ２００を含む。クライアント装置２は、ＰＣ（Ｐｅｒｓｏｎａｌ  Ｃｏｍｐｕｔｅｒ）等の一般的な情報処理装置によって構成される。情報検索装置１は、ネットワークを介してクライアント装置２と接続されており、クライアント装置２からの検索要求を受けて文献情報ＤＢ２００に格納されている文献情報を検索する。文献情報ＤＢ２００は、検索対象の情報として特許文献の情報を記憶している。
【００８１】
次に、本実施形態に係る情報検索装置１のハードウェア構成について説明する。図２は、本実施形態に係る情報検索装置１のハードウェア構成を示すブロック図である。図２に示すように、本実施形態に係る情報検索装置１は、一般的なサーバやＰＣ（Ｐｅｒｓｏｎａｌ  Ｃｏｍｐｕｔｅｒ）等の情報処理端末と同様の構成を有する。即ち、本実施形態に係る情報検索装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００８２】
ＣＰＵ１０は演算手段であり、情報検索装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。Ｉ／Ｆ５０は、バス８０と各種のハードウェアやネットワーク等を接続し制御する。ＬＣＤ６０は、ユーザが情報検索装置１の状態を確認するための視覚的ユーザインタフェースである。操作部７０は、キーボードやマウス等、ユーザが情報検索装置１に情報を入力するためのユーザインタフェースである。尚、図１において説明したように、本実施形態に係る情報検索装置１は、サーバとして運用される。従って、ＬＣＤ６００及び操作部７０等のユーザインタフェースは省略可能である。
【００８３】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る情報検索装置１の機能を実現する機能ブロックが構成される。
【００８４】
次に、本実施形態に係る情報検索装置１の機能ブロックについて、図３を参照して説明する。図３は、本実施形態に係る情報検索装置１の機能ブロック及び情報検索装置１が検索する対象の文献情報を格納している文献情報ＤＢ２００を示すブロック図である。図３に示すように、本実施形態に係る情報検索装置１は、検索制御部１００、情報入力部１１０、ネットワークＩ／Ｆ１２０、表示部１３０及び辞書情報ＤＢ１４０を有する。
【００８５】
情報入力部１１０は、ユーザが情報検索装置１を操作して検索制御部１００に情報を入力するための構成であり、図２に示すＩ／Ｆ５０及び操作部７０によって実現される。ネットワークＩ／Ｆ１２０は、情報検索装置１がネットワークを介して情報を取得し、若しくはネットワークを介して情報を送信するためのインタフェースであり、図２に示すＩ／Ｆ５０によって実現される。具体的には、例えばＥｔｈｅｒｎｅｔ（登録商標）接続のインタフェースや、ＵＳＢ（Ｕｎｉｖｅｒｓａｌ  Ｓｅｒｉａｌ  Ｂｕｓ）接続のインタフェースによって実現される。
【００８６】
表示部１３０は、情報検索装置１の動作状態や、検索結果等が表示される構成であり、図２に示すＩ／Ｆ５０及びＬＣＤ６０によって実現される。辞書情報ＤＢ１４０は、類義語検索が可能な単語のデータベースであり、図２に示すＨＤＤ４０及びＲＡＭ２０において動作するプログラムによって実現される。検索制御部１００は、本実施形態に係る情報検索装置１の検索機能を担う構成であり、指定条件情報取得部１０１、指定条件情報解析部１０２、文献情報抽出部１０３及び抽出結果処理部１０４を有する。
【００８７】
指定条件情報取得部１０１は、ユーザによって情報入力部１１０を介して入力された情報若しくはネットワークＩ／Ｆ１２０を介してネットワーク経由で入力された情報を指定条件情報として取得する。指定条件情報取得部１０１は、図２に示すＲＡＭ２０にロードされたプログラムがＣＰＵ１０の制御に従って動作することにより構成される。指定条件情報とは、所望の文献を抽出するための条件として、ユーザによって指定される条件である。指定条件情報解析部１０２は、指定条件情報取得部１０１が取得した指定条件情報を解析し、文献情報ＤＢ２００から文献を抽出する際の条件となる抽出条件の情報（以降、抽出条件情報とする）を生成する。
【００８８】
また、指定条件情報解析部１０２は、生成した抽出条件情報を表示するための抽出条件表示情報を生成し、出力する。即ち、指定条件情報解析部１０２が、抽出条件表示情報生成部として機能する。抽出条件表示情報生成部は、図２に示すＲＡＭ２０にロードされたプログラムがＣＰＵ１０の制御に従って動作することにより構成される。指定条件情報解析部１０２の機能が本実施形態の要旨の１つとなる。指定条件情報解析部１０２が実行する処理については、後に詳述する。
【００８９】
文献情報抽出部１０３は、指定条件情報解析部１０２によって生成された抽出条件情報に基づき、文献情報ＤＢ２００に格納されている文献を抽出する。即ち、文献情報抽出部１０３は、抽出条件情報によって定められている条件に適合する情報を辞書情報ＤＢ２００から抽出する情報抽出部として機能する。情報抽出部は、図２に示すＲＡＭ２０にロードされたプログラムがＣＰＵ１０の制御に従って動作することにより構成される。また、文献情報抽出部１０３は、文献情報ＤＢ２００から抽出した文献を示す情報の一覧（以降、文献表示一覧情報とする）を生成する。
【００９０】
抽出結果処理部１０４は、文献情報抽出部１０３によって生成された文献表示一覧情報に基づき、適合文献の抽出結果を表示部１３０若しくはクライアント装置２の表示部に表示するための適合情報表示情報を生成して、出力する。即ち、抽出結果処理部１０４は、抽出条件情報によって定められている条件に適合する情報として抽出された適合情報を表示部１３０若しくはクライアント装置２の表示部に表示するための適合情報表示情報を生成する適合情報表示情報生成部として機能する。適合情報表示情報生成部は、図２に示すＲＡＭ２０にロードされたプログラムがＣＰＵ１０の制御に従って動作することにより構成される。
【００９１】
このような情報検索装置１において、本実施形態は、指定条件情報解析部１０２による、抽出条件情報を表示するための抽出条件表示情報の生成及び抽出条件情報の表示に特徴を有する。以下、本実施形態に係る情報検索装置１の動作について図を参照して説明する。図４は、本実施形態に係る情報検索システムにおける情報検索動作を示すシーケンス図である。図４に示すように、文献情報ＤＢ２００に登録されている文献情報を検索する際、先ず、ユーザはクライアント装置２を操作して検索条件を指定するための検索条件指定画面を表示するための情報を情報検索装置１から取得し、検索条件指定画面を表示する（Ｓ４０１）。以下、本実施形態の説明においては、ユーザがクライアント装置２を操作して情報検索装置１の機能を利用する場合を例として説明する。
【００９２】
Ｓ４０１においてクライアント装置２の表示部に表示される検索条件指定画面を、図５（ａ）に示す。図５（ａ）は、文献情報ＤＢ２００に格納されている文献を検索する際に表示される画面であって検索条件を指定する検索条件指定画面３００を示す図である。図５（ａ）に示すように検索条件指定画面３００は、検索対象指定部３０１、検索条件指定部３０２及び検索条件入力部３０３を有する。検索対象指定部３０１は、“国内特許”、“海外特許”、“実用新案”等のように、検索する対象として文献の種類を選択する。検索条件指定部３０２は、“文章”、“キーワード”、“書誌項目”等のように、文献を検索する条件の種類を選択する。検索条件入力部３０３は、検索条件指定部３０２において選択した検索条件の種類に応じた検索条件を入力する。
【００９３】
図５（ａ）の例においては、検索条件として“文章”を指定する場合を示している。“文章”を検索条件とした場合、検索条件入力部３０３には抽出すべき文献（本実施形態においては特許公報）を特定するための文章を入力する。本実施形態においては、特許文献に開示されている技術を特定する文章として、“Ａ＊＊Ｂ＊＊＊＊Ｃ＊、Ａ＊＊Ｄ＊＊、Ｂ＊Ｅ＊＊＊、Ｃ＊Ｆ＊。”という文章が入力される場合を例として説明する。ユーザは、クライアント装置２の操作部を操作することにより、図５（ａ）に示すような文章を入力し、情報検索装置１に対して指定条件情報として送信する（Ｓ４０２）。
【００９４】
情報検索装置１に送信された指定条件情報は、ネットワークＩ／Ｆ１２０から情報検索装置１に入力され、検索制御部１００の指定条件情報取得部１０１が取得する（Ｓ４０３）。指定条件情報解析部１０２は、指定条件情報取得部１０１から指定条件情報としての文章を取得すると、入力された文章を解析する（Ｓ４０４）。Ｓ４０４の処理において、指定条件情報解析部１０２は、文章として入力された指定条件情報から検索対象を特定する特徴となる文言である単語（以降、抽出単語とする）を抽出する。図７（ａ）は、本実施形態において入力された指定条件情報の文章から抽出された抽出単語を示す図である。図７（ａ）に示すように、本実施形態においては、図５（ａ）に示す検索条件入力部３０３に入力された文章から、“Ａ”、“Ｂ”、“Ｃ”、“Ｄ”、“Ｅ”及び“Ｆ”という文言が抽出単語として抽出される。これらの抽出単語は、指定条件情報において定められる条件を構成する最小単位の条件、即ち、単位条件として用いられる。
【００９５】
指定条件情報解析部１０２は、図７（ａ）に示すように抽出単語を抽出すると、辞書情報ＤＢ１４０を検索して夫々の抽出単語の類義語（以降、抽出類義語とする）を抽出する（Ｓ４０５）。即ち、指定条件情報解析部１０２が類義語情報取得部として機能する。類義語情報取得部は、図２に示すＲＡＭ２０にロードされたプログラムがＣＰＵ１０の制御に従って動作することにより構成される。図７（ｂ）は、図７（ａ）に示す夫々の抽出単語に対して抽出した抽出類義語を示す図である。図７（ｂ）の例においては、“Ａ”の類義語として“Ａ1”、“Ａ2”を、“Ｂ”の類義語として“Ｂ1”、“Ｂ2”、“Ｂ3”を、“Ｃ”の類義語として“Ｃ1”を、“Ｄ”の類義語として“Ｄ1”、“Ｄ2”を、“Ｅ”の類義語として“Ｅ1”を、“Ｆ”の類義語として“Ｆ1”、“Ｆ2”を、夫々抽出した例を示している。
【００９６】
図７（ａ）、（ｂ）に示すように、抽出単語及び抽出類義語を特定すると、指定条件情報解析部１０２は、それらの情報に基づき、文献情報ＤＢ２００から文献情報を抽出する条件となる抽出条件情報を生成する（Ｓ４０６）。本実施形態においては、抽出単語及び抽出類義語を抽出条件情報とする。指定条件情報解析部１０２は、抽出条件情報を生成すると、その抽出条件情報をクライアント装置２の表示部に表示するための抽出条件表示情報を生成し、出力する（Ｓ４０７）。即ち、指定条件情報解析部１０２が、抽出条件表示情報生成部として機能する。
【００９７】
指定条件情報解析部１０２は、Ｓ４０７において、ネットワークＩ／Ｆ１２０を介してクライアント装置２に対して抽出条件表示情報を送信する。クライアント装置２は、情報検索装置１から抽出条件表示情報を受信すると、表示部に抽出条件情報を表示する（Ｓ４０８）。Ｓ４０８におけるクライアント装置２の表示部の表示を図８（ａ）、（ｂ）に示す。図８（ａ）は、Ｓ４０８において表示される抽出条件情報表示画面４００を示す図である。図８（ａ）に示すように、本実施形態に係る抽出条件情報表示画面４００は、検索語表示部４０１、辞書展開指示部４０２及び検索実行指示部４０３を有する。
【００９８】
検索語表示部４０１は、図８（ａ）に示すように、Ｓ４０５において抽出された抽出単語を表示している。ここで、ユーザが情報入力部１１０を操作し、マウス等のポインティングデバイスにより辞書展開指示部４０２をクリックすると、抽出条件情報表示画面４００の表示が図８（ｂ）に示すように切り換わる。即ち、指定条件情報解析部１０２は、ユーザによって入力された操作情報に基づき、類義語表示の有無を切り換え可能なように抽出条件表示情報を生成する。
【００９９】
図８（ｂ）に示す抽出条件情報表示画面４００においては、Ｓ４０５において抽出された抽出類義語が、夫々類義語として抽出される元となった抽出単語と関連付けられて表示されている。これにより、ユーザは抽出条件として抽出制御部１００により自動的に追加される抽出類義語が、夫々どの単語の類義語として抽出されたのかを容易に認識することが可能となる。尚、以降の説明においては、抽出単語及び抽出類義語を総じて検索語とする。
【０１００】
尚、図８（ａ）、（ｂ）に示す抽出条件情報表示画面４００においては、検索語表示部４０１において“選択”と表示されている列の検索語指定部４０１ａを切り換え、“○”若しくは“×”を選択することにより、夫々の抽出単語若しくは抽出類義語を検索語として用いるか否かを選択することが可能である。ユーザが、図８（ａ）、（ｂ）に示す検索語表示部４０１の選択項目を切り換えて検索語として用いるか否かを設定し、検索実行指示部４０３をクリックすることにより、検索実行命令がクライアント装置２から情報検索装置１に送信される（Ｓ４０９）。
【０１０１】
Ｓ４０９において送信される検索実行命令は、ネットワークＩ／Ｆ１２０を介して情報検索装置１の検索制御部１００に入力される。Ｓ４０９において送信される検索実行命令には、図８（ａ）、（ｂ）において説明した夫々の抽出単語若しくは抽出類義語を検索語として用いるか否かの情報、即ち、検索語指定情報が含まれる。即ち、検索制御部１００が、検索語指定情報取得部として機能する。検索制御部１００が取得した検索実行命令は、文献情報抽出部１０３に入力される。
【０１０２】
文献情報抽出部１０３は、抽出条件情報解析部１０２から入力された抽出条件情報及びクライアント装置２から取得した検索語指定情報に基づき、文献情報ＤＢ２００からの文献情報の抽出を実行する（Ｓ４１０）。即ち、文献情報抽出部１０３が情報抽出部として機能する。情報抽出部は、図２に示すＲＡＭ２０にロードされたプログラムがＣＰＵ１０の制御に従って動作することにより構成される。
【０１０３】
Ｓ４１０において、文献情報抽出部１０３は、文献情報ＤＢ２００に格納されている夫々の文献において夫々の抽出単語及び抽出類義語が用いられている回数を求め、その回数を所定の計算に基づいて抽出条件に対する適合値として算出する。図９は、Ｓ４１０における文献情報の抽出過程において生成される情報を視覚的に示す図である。図９に示す図においては、ＩＤ、ヒット数、検索語及び文献番号の情報を含むテーブルが示されている。
【０１０４】
ここで、図９において、例えばＩＤ“００１”の情報は、文献番号が“＊＊＊＊−＊＊＊＊＊ａ”である文献における検索語“Ａ”のヒット数が“３２８”であることを示している。そして、ＩＤ“００１”、“００２”、“００３”の情報は、夫々文献番号“＊＊＊＊−＊＊＊＊＊ａ”、“＊＊＊＊−＊＊＊＊＊ｂ”、“＊＊＊＊−＊＊＊＊＊ｃ”における検索語Ａのヒット数を示す情報となっている。また、ＩＤ“０１１”、“０１２”、“０１３”の情報は、夫々文献番号“＊＊＊＊−＊＊＊＊＊ａ”、“＊＊＊＊−＊＊＊＊＊ｃ”、“＊＊＊＊−＊＊＊＊＊ｆ”における検索語Ａ1のヒット数を示す情報となっている。
【０１０５】
このように、文献情報抽出部１０３は、Ｓ４０６において文献情報ＤＢ２００に格納されているすべての文献について、夫々の検索語が用いられている回数を求め図９に示すようなテーブルを生成する。次に、文献情報抽出部１０３は、図９に示す情報を所定の処理に従って集計する。この処理について図１０を参照して説明する。図１０は、図９に示す情報を集計する動作を示すフローチャートである。図９に示す情報を生成すると、文献情報抽出部１０３は、一の文献について検索結果を参照する（Ｓ１００１）。例えば図９に示す例においては、文献番号“＊＊＊＊−＊＊＊＊＊ａ”についての検索結果としてＩＤ“００１”、“０１１”、“０２１”及び“１０１”の情報を参照する。
【０１０６】
次に、文献情報抽出部１０３は、公報番号、即ち“＊＊＊＊−＊＊＊＊＊ａ”を表示するための情報を生成する（Ｓ１００２）。次に、文献情報抽出部１０３は、夫々の検索語毎のヒット数を表示するための情報を、公報番号と関連付けて表示するように生成する（Ｓ１００３）。この場合、公報番号“＊＊＊＊−＊＊＊＊＊ａ”を参照しているので、検索語“Ａ”、“Ａ1”、“Ｂ”、“Ｃ1”に関連付けて表示する情報として、夫々“３２８”、“１５５”、“７８”、“１４”を表示するための情報を生成する。Ｓ１００１〜Ｓ１００３の処理を、すべての公報について繰り返し（Ｓ１００４／ＮＯ）、すべての公報についてＳ１００１〜Ｓ１００３の処理が完了したら（Ｓ１００４／ＹＥＳ）、処理を終了する。
【０１０７】
図１０の処理によって生成される情報を図１１に示す。図１１に示すように、図１０の処理の結果、文献情報抽出部１０３は、文献情報ＤＢ２００に格納されている夫々の文献情報と抽出条件情報として指定されている検索語とをマトリクス状に配置して表示するための情報が生成される。そして、夫々の文献において夫々の検索語が用いられている回数を夫々のセルに表示するような情報が生成される。文献情報抽出部１０３は、図１１に示す表を所定の計算式に適用し、夫々の文献について適合値を求める。そして、文献情報抽出部１０３は、Ｓ４１０の処理において、上記適合値が所定の閾値以上となる文献を適合文献として抽出する。
【０１０８】
文献情報抽出部１０３は、適合文献を抽出すると、その適合文献について文献表示一覧情報を生成し、抽出結果処理部１０４に入力する。ここで、文献表示一覧情報とは、適合文献として抽出された文献に係る図１１に示す情報、即ち、夫々の適合文献において、夫々の検索語が用いられている回数を示す情報である。また、図１１に示す情報に加えて、夫々の適合文献の適応度に関する情報が含まれる。換言すると、文献表示一覧情報とは、図１１において説明した情報から、適合値が所定の閾値に満たない文献を抜いた情報である。即ち、文献表示一覧情報は、抽出結果情報として用いられる。
【０１０９】
文献情報抽出部１０３から抽出結果として文献表示一覧情報を受信した抽出結果処理部１０４は、抽出結果を表示するための抽出結果表示情報を生成し、クライアント装置２に対して送信する（Ｓ４１１）。抽出結果表示情報を受信したクライアント装置２は、表示部に抽出結果を表示し（Ｓ４１２）、処理を終了する。Ｓ４１２においてクライアント装置２の表示部に表示される画面について、図１２を参照して説明する。図８は、標準的な抽出結果の表示態様として、文献情報の抽出結果の適応度による一覧を示す図である。図１２に示すように、抽出結果表示画面５００は、表示態様選択部５０１及び抽出結果表示部５０２を有する。
【０１１０】
表示態様選択部５０１は、抽出結果表示画面５００の表示態様を選択する選択部であり、表示態様選択部５０１の選択状態に応じて抽出結果表示部５０２に表示される内容が変化する。ユーザは、情報検索装置１の情報入力部１１０を操作し、表示態様選択部５０１の選択状態を切り換えることができる。表示態様選択部５０１において“適応度一覧”が選択されている場合、抽出結果表示部５０２は、図１２に示すように、Ｓ４１０において抽出された文献である特許公報の番号、夫々の特許公報のタイトルである発明の名称及び夫々の特許公報の抽出条件に対する適応度を関連付けて表示する。また、図１２において、抽出された文献は、適応度が高い順に並べられて表示される。
【０１１１】
このような情報検索装置１において、本実施形態に係る要旨は、図４において説明したＳ４０４〜Ｓ４０８の類義語情報の取得及び抽出条件情報の取得処理にある。図６を参照して、本実施形態に係る情報検索装置１の類義語情報の取得及び抽出条件情報の取得処理について更に説明する。図６に示すように、Ｓ４０４において説明した指定条件情報の解析の結果、図７（ａ）に示すように、抽出単語を取得すると、指定条件情報解析部１０２は、夫々の抽出単語について語意ＩＤを付与する（Ｓ６０２）。
【０１１２】
そして、指定条件情報解析部１０２は、図７（ａ）に示す夫々の抽出単語ごとに辞書検索を実行し（Ｓ６０３）、図７（ｂ）に示すように、抽出類義語を取得する（Ｓ６０４）。抽出類義語を取得すると、指定条件情報解析部１０２は、取得した抽出類義語に語意ＩＤを付与する（Ｓ６０５）。ここで、Ｓ６０５の処理においては、夫々の抽出類義語に対して、その抽出元となった抽出単語と同一の語意ＩＤを付与する例えば、図７（ｂ）に示す抽出単語“Ａ”と抽出類義語“Ａ1”とは同一の語意ＩＤが付与される。
【０１１３】
語意ＩＤの付与が完了すると、指定条件情報解析部１０２は、図８（ａ）に示すように抽出単語を表示するための表示情報を生成する（Ｓ６０６）。次に、指定条件情報解析部１０２は、図８（ｂ）に示すように抽出類義語を抽出元となる抽出単語と関連付けて表示するように表示情報を生成し（Ｓ６０７）、処理を終了する。Ｓ６０７においては、Ｓ６０５において付与された語意ＩＤに基づき、夫々の抽出類義語を同一の語意ＩＤが付与された抽出単語に関連付けて表示するように表示情報を生成する。
【０１１４】
以上説明したように、本実施形態に係る情報検索装置により、情報の検索における検索条件の表示において、入力された検索文言と当該検索文言の類義語として取得された文言との対応関係の理解を図８（ｂ）に示すように容易化することができる。
【０１１５】
尚、上記の説明においては、図８（ｂ）において説明したように、抽出条件情報表示画面４００を例として説明したが、抽出結果を表示する抽出結果表示画面５００において抽出単語と抽出類義語とを関連付けて表示する態様も可能である。そのような例について図１３を参照して説明する。図１３は、図１２において説明した抽出結果表示画面５００の他の態様を示す図である。図１３の表示態様においては、抽出結果表示部５０２に、適合文献である特許公報の番号を列として縦に列挙し、夫々の検索語語を行として横に列挙することによりマトリクス状に配置して表示している。
【０１１６】
図１３に示すような態様において、例えば、夫々の抽出単語を異なる色で表示し、夫々の抽出単語とその類義語とを同一の色で表示することが考えられる。具体的には、図１３の例において、“Ａ”及び“Ａ1”を黒で表示し、“Ｂ”、“Ｂ1”及び“Ｂ2”を赤で表示し、“Ｃ”及び“Ｃ1”を青で表示する態様等が挙げられる。このように、抽出単語とその類義語とを関連付けて表示することにより、抽出結果表示画面５００における抽出単語とその類義語との関連性のユーザによる把握を容易化することが可能となる。この場合は、抽出結果処理部１０４が抽出条件としての抽出単語及び抽出類義語を関連付けて表示するための抽出条件表示情報を生成する抽出条件表示情報生成部部として機能する。
【０１１７】
また、上記の説明においては、抽出単語と抽出類義語とを関連付けて表示する抽出条件情報表示画面の例として、図８（ａ）、（ｂ）の態様を例として説明した。この他、図１４に示すように、抽出単語と抽出類義語とを同一の行に表示しても良い。また、図１５に示すように、抽出単語と抽出類義語とを表示する行を別とした上で、抽出類義語はすべて同一の行に表示するようにしても良い。更に、図１６示すように、抽出単語とその類義語とを連続して表示させ、抽出単語を強調表示するようにしても良い。図８（ｂ）若しくは図１３〜図１６のいずれの態様であっても、抽出単語とその類義語とを関連付けて表示し、それらの関連性がユーザに理解可能な表示態様であれば、上記と同様の効果を得ることが可能である。この時、図１６に示すように、抽出単語とその類義語とを異なる態様で表示することにより、抽出単語と類義語との区別を明確に表示することが可能となる。
【０１１８】
また、上記の説明においては、ユーザが指定条件情報を入力する態様として、図５（ａ）のように、文章を入力する例を説明した。この他、検索条件指定画面３００の検索条件指定部３０２において“キーワード”を選択することにより、“Ａ”、“Ｂ”、“Ｃ”等の検索語を直接指定することも可能である。そのような態様について、図５（ｂ）に示す。図５（ｂ）は、検索条件指定画面３００の検索条件指定部３０２において“キーワード”を選択した場合の例を示す図である。この場合、図５（ｂ）に示すように、検索条件入力部３０３は、キーワードを入力する画面となる。
【０１１９】
図５（ｂ）に示す態様の場合、指定条件情報として、ユーザによって入力されたキーワードが指定条件情報解析部１０２に入力される。ユーザによって指定されたキーワードを指定条件情報として受信した指定条件情報解析部１０２は、そのキーワードの類義語を辞書情報ＤＢ１４０から取得する。即ち、図５（ｂ）に示す態様の場合、ユーザによって入力されたキーワードが上記実施例の抽出単語に該当し、そのキーワードの類義語が上記実施例の抽出類義語に該当する。以降の処理は、上記実施例と同様に実行される。
【０１２０】
また、上記の説明においては、図３に示すように、類義語取得結果を表示した後、文献情報の抽出を実行し、その後抽出結果を表示する例を説明した。この他、文献を抽出した後に類義語取得結果と抽出結果とを表示するようにしても良い。この際、文献情報抽出部１０３は一覧情報に加えて抽出条件情報をも抽出結果処理部１０４に入力し、抽出結果処理部１０４が抽出条件情報及び抽出結果情報を表示部１３０に表示させるようにしても良い。
【０１２１】
実施の形態２．
実施の形態１においては、指定条件として入力された文章に含まれる単語と当該単語の類義語として抽出された類義語との対応関係の把握を容易化する情報検索システムを例として説明した。本実施形態においては、検索結果の表示態様に特徴を有する情報検索装置について説明する。尚、実施の形態１と同様の符号を付す構成については、実施の形態１と同一または相当部を示し、説明を省略する。
【０１２２】
図１３は、本実施形態に係る抽出結果表示画面５００を示す図である。図１３に示すように、本実施形態に係る抽出結果表示画面５００は、表示態様選択部５０１の選択状態が“ヒット数一覧”である場合の態様である。表示態様選択部５０１において“ヒット数一覧”が選択されている場合、抽出結果表示画面５００の表示態様は図１３に示すようになる。即ち、抽出結果表示部５０２は、適合文献である特許公報の番号を列として縦に列挙し、夫々の検索語語を行として横に列挙することによりマトリクス状に配置して表示している。そして、夫々の文献において夫々の検索語が用いられている回数（以降、検索語ヒット数若しくはヒット数とする）を夫々のセルに表示している。即ち、図１３に示す夫々のセルに表示されているヒット数は、単位条件に対する充足度である。
【０１２３】
尚、図１３に示す“（ヒット数一覧）”の抽出結果表示画面５００は、実施の形態１の図１１において説明した情報に基づいて表示される。即ち、文献情報抽出部１０３及び抽出結果処理部１０４が連動して適合情報表示情報生成部として機能する。ここで、夫々の検索語を示す領域は、ソート指示部５２１として機能する。また、夫々のセルに表示されている検索語ヒット数は、検索語ヒット箇所表示指示部５２２として機能する。検索語ヒット箇所表示指示部５２２においては、夫々のヒット数に応じた大きさの円の中にそのヒット数を示す数値が表示されている。これにより、ユーザは、夫々の文献が夫々の検索語をどの程度含んでいるのかを容易に把握することが可能となる。
【０１２４】
図１３に示す“ヒット数一覧”の抽出結果表示画面５００においては、抽出された特許公報は、実施の形態１の図１２において説明した適応度の順に並べられている。また、検索語の夫々の列は、図１３に示す画面左側、即ち、公報番号の列に近い側から、適合度の高い公報（図１３の例においては、適合度が最も高い公報）でのヒット数が大きい順に並べられている。これは、ヒット数が多い検索語ほど、それら公報を特徴づけているという傾向に基づく。即ち、ヒット数の多い単語を公報列の近傍に配置することにより、特徴的な単語のヒット数と公報番号との対比確認を容易化することが可能となる。
【０１２５】
ここで、図１３の例においては、一番上に表示されている公報における各検索語のヒット数を基準として検索語の列が並べ替えられている。この他、夫々の検索語において、抽出された全適合文献、即ち全特許公報におけるヒット数を合計し、その合計ヒット数に基づいて検索語の列を並べ替えても良い。若しくは、適合文献として抽出された文献のうち、さらに所定の閾値以上の適合度を有する文献のヒット数の合計に基づいて並べ替えても良い。また、図１３に示す抽出単語及び抽出類義語の列の順番は、ユーザにより任意に変更可能である。これにより、ユーザの利便性を高めることが可能となる。
【０１２６】
また、図１３に示す“ヒット数一覧”の抽出結果表示画面５００においては、夫々の検索語ヒット箇所表示指示部５２２をクリックすることにより、夫々の文献において夫々の検索語が用いられている箇所を表示する検索語ヒット箇所表示画面が表示される。図１７を参照して、本実施形態に係る検索語ヒット表示画面６００について説明する。図１７においては、図１３に示す検索語ヒット箇所表示指示部５２２のうち、“Ｃ1”の列の“１４”と表示されているセルをクリックした場合の例を示す。
【０１２７】
図１７に示すように、本実施形態に係る検索語ヒット箇所表示画面６００は、前後文表示部６０１及びヒット箇所表示部６０２を有する。前後文表示部６０１は、指定された文献中において、該当する検索語の直前の文章である“左文脈“及び該当する検索語の直後の文章である”右文脈“を表示する。また、ヒット箇所表示部６０２は、指定された検索語をハイライト表示した上で、指定された文献中において検索語が用いられている箇所を表示する。ヒット箇所表示部６０２におけるハイライト表示とは、指定された検索語を太字にて表示すると共に、下線を付す。この他、例えば赤字等、他の文章とは異なる色で検索語を表示しても良い。
【０１２８】
図１７に示す検索語ヒット箇所表示画面６００は、抽出結果処理部１０４によって生成された表示情報に基づき、クライアント装置２の表示部に表示される。図１７に示す前後文表示部６０１及びヒット箇所表示部６０２に表示される情報は、文献情報抽出部１０３から抽出結果処理部１０４に入力される文献表示一覧情報には含まれていない。従って、抽出結果処理部１０４は、図１３に示す抽出結果表示画面５００においてクリックされた検索語ヒット箇所表示指示部５２２に対応する特許公報の公報番号に基づき、文献情報ＤＢ２００から前後文表示部６０１及びヒット箇所表示部６０２に表示すべき情報を取得する。これにより、抽出結果処理部１０４は、検索語ヒット箇所表示画面６００を生成することが可能となる。即ち、抽出結果処理部１０４が夫々の適合文献において夫々の単位条件の充足態様を表示するための充足態様表示情報生成部として機能する。充足態様表示情報生成部は、図２に示すＲＡＭ２０にロードされたプログラムがＣＰＵ１０の制御に従って動作することにより構成される。
【０１２９】
尚、上述したように、図１７に示す検索語ヒット箇所表示画面６００を表示するためには、抽出結果表示画面５００において検索語ヒット箇所表示指示部５２２をクリックする。ここで、抽出結果表示画面５００はクライアント装置２の表示部に表示される情報であり、検索語ヒット箇所表示指示部５２２のクリックは、クライアント装置２において実行される処理である。従って、情報検索装置１は、ネットワークＩ／Ｆ１２０を介して検索語ヒット箇所表示指示部５２２がクリックされたことを示す情報（以降、検索語ヒット箇所表示指示情報とする）をクライアント装置２から受信する。
【０１３０】
ネットワークＩ／Ｆ１２０を介して情報検索装置１に入力された検索語ヒット箇所表示指示情報は、検索制御部１００に入力され、抽出結果処理部１０４が取得する。ここで、検索語ヒット箇所表示指示情報には、文献及び検索語を特定する情報が含まれる。これは、例えば、実施の形態１の図９において説明したＩＤである。この他、文献及び検索語を夫々特定しても良い。即ち、検索語ヒット箇所表示指示情報とは、適合文献のいずれか１つにおける検索語のいずれか１つのヒット数、即ち充足度を指定する充足度指定情報として用いられる。従って、抽出結果処理部１０４が充足度指定情報取得部として機能する。充足度指定情報取得部は、図２に示すＲＡＭ２０にロードされたプログラムがＣＰＵ１０の制御に従って動作することにより構成される。
【０１３１】
従来の検索装置においては、本実施形態に係る検索語“Ａ”、“Ａ1”、“Ｂ”、“Ｂ1”、“Ｂ2”・・・等、複数の検索語を用いて検索を実行した場合、それら複数の検索語がすべてハイライト表示されていた。そのため、多くの文字がハイライト表示されることにもなり、ヒット箇所表示部６０２のような画面において所望の検索語を参照する際に不便であった。これに対して、本実施形態に係るヒット箇所表示画面６００のヒット箇所表示部６０２においては、指定された検索語、即ち、図１３に示す抽出結果表示画面５００の検索語ヒット箇所表示指示部５２２をクリックして指定されたセルに対応する検索語（図１７の例においては“Ｃ1”）のみをハイライト表示する。これにより、ヒット箇所表示部６０２において所望の検索語を容易に発見し、参照することが可能となる。
【０１３２】
次に、図１３に示すソート指示部５２１の機能について、図１８を参照して説明する。図１８は、図１３に示すソート指示部５２１のうち、“Ｂ1”が表示されている領域をクリックした場合を示している。図１８に示すように、“Ｂ1”が表示されている領域のソート指示部５２１をクリックした場合、抽出された特許公報は“Ｂ1”のヒット数順に並べ替えられる。また、“Ｂ1”のヒット数に基づいてソートされていることの明示のため、“Ｂ1”のソート指示部５２１が反転表示される。このような処理により、抽出された特許公報の並び順をユーザの指定した検索語のヒット数に基づいた順位とすることが可能となり、情報解析の利便性を向上することが可能となる。
【０１３３】
図１７において説明した検索語ヒット箇所表示画面６００の表示と同様に、ソート指示部５２１のクリックもクライアント装置２において実行される処理である。従って、情報検索装置１は、ソート指示部５２１がクリックされたことを示す情報（以降、ソート指示情報とする）をネットワークＩ／Ｆ１２０を介してクライアント装置２から受信する。ネットワークＩ／Ｆ１２０が受信したソート指示情報は、ネットワークＩ／Ｆ１２０から検索制御部１００に入力され、抽出結果処理部１０４が取得する。即ち、抽出結果処理部１０４が操作情報取得部及び単位条件指定情報取得部として機能する。操作情報取得部及び単位条件指定情報取得部は、図２に示すＲＡＭ２０にロードされたプログラムがＣＰＵ１０の制御に従って動作することにより構成される。
【０１３４】
また、図１３に示すような“ヒット数一覧”の抽出結果表示画面５００においては、夫々の検索語毎のヒット数のみならず、複数の検索語をグループ化し、抽出された特許公報の番号と検索語のグループとをマトリクス状に配置する態様も可能である。そのような態様について、図１９を参照して説明する。図１９は、“Ａ”及び“Ａ1”を１つのグループとし、“Ｂ”、“Ｂ1”及び“Ｂ2”を１つのグループとし、“Ｃ”及び“Ｃ1”を１つのグループとした例を示している。図１９に示すグループの指定は、図１７若しくは図１８の画面を表示する処理と同様に、クライアント装置２において実行される。
【０１３５】
図１３に示す態様においては、夫々の検索語が夫々の文献において用いられている数を一覧することが可能であるが、検索語の中には類義語として抽出された抽出類義語も含まれるため、全ての検索語毎の一覧は必ずしも必要ではない。これに対して、図１９に示すように、抽出単語及びその単語の類義語として抽出された類義語を１つのグループとすることにより、夫々の検索語が夫々の特許公報において用いられている数を、同義の検索語毎に容易に一覧することが可能となる。
【０１３６】
尚、ユーザがクライアント装置２を操作することにより生成される検索語のグループ指定の情報は、ネットワークＩ／Ｆ１２０が受信して検索制御部１００に入力され、抽出結果処理部１０４が取得する。即ち、抽出結果処理部１０４が複数の単位条件である検索語を単位条件群として指定する単位条件群指定情報を取得する単位条件郡指定情報取得部として機能する。単位条件群指定情報取得部は、図２に示すＲＡＭ２０にロードされたプログラムがＣＰＵ１０の制御に従って動作することにより構成される。
【０１３７】
また、図１９に示す抽出結果表示画面５００においても、検索語ヒット箇所表示部５２２若しくはソート指示部５２１をクリックすることにより、図１７若しくは図１８において説明した機能を実現することが可能である。ここで、図１９に示す抽出結果表示画面５００において検索語ヒット箇所表示部５２２をクリックした場合、図１７に示す検索語ヒット箇所表示画面６００においては、指定した検索語グループに含まれるすべての検索語が前後文表示部６０１に表示され、ヒット箇所表示部６０２においては指定した検索語グループに含まれるすべての検索語がハイライト表示される。
【０１３８】
以上説明したように、本実施形態に係る情報検索装置により、情報の検索における検索結果の表示において、検索条件と検索対象情報との適合度を算出する前の、検索条件と検索対象情報との適合状況について、図１３に示すようによりユーザに理解し易いように表示することが可能となる。
【０１３９】
また、上記の説明においては、図１３に示すように、適合文献である特許公報の番号を列として縦に列挙し、夫々の検索語を行として横に列挙することによりマトリクス状に配置して表示する例を説明した。これに対して、適合文献を行とし、検索語を列としても良い。但し、指定された検索語の数よりも抽出された適合文献の数の方が多くなることが多いと考えられる。この場合、ユーザは適合文献が配列された方向に画面をスクロールさせて全文献を確認することになる。ＰＣ等の一般的な情報処理端末においては、マウスのホールを回転させることにより、上下方向の画面スクロールが容易なように構成されているものが多い。従って、適合文献を列として縦に列挙することにより、ユーザの利便性を向上することが可能となる。この他、適合文献数よりも検索語数の方が多い場合も考え、列と行とを入れ替え可能なようにしても良い。これにより、更にユーザの利便性を高めることが可能となる。更には、抽出結果の適合文献の数と検索語の数とを比較し、多い方を列として配置するようにしても良い。
【０１４０】
また、上記の説明においては、図１３において説明したように、抽出結果表示画面５００における検索語の夫々の列が、公報番号の列に近い側からヒット数の大きい順に並べられている例を説明した。これは、上述したように、特徴的な言葉をより公報番号の列の近傍に表示させたいという要求に基づく。この他、特徴的な言葉を判断する要因としては、夫々の検索語によって抽出された文献の数（以降、文書頻度とする）がある。例えば、図１３の例においては、検索語“Ｃ”を含む文献の数は６であり、検索語“Ａ”を含む文献の数は３である。従って、検索語“Ｃ”の文書頻度は６であり、検索語“Ａ”の文書頻度は３である。
【０１４１】
上記文書頻度が大きければ、より多くの文献においてその文言が用いられているということであり、小さければ、その文言を用いている文献が少ないということである。即ち、文書頻度が小さい検索語は、特徴的な文言であり、文書頻度が大きい検索語は一般的な言葉であると言うことができる。従って、図２０に示すように、抽出結果表示画面５００において、検索語の夫々の列を、公報番号の列に近い側から文書頻度の小さい順に並べるようにしても良い。これによっても、図１３の態様と同様の効果を得ることが可能となる。
【０１４２】
また、上記の説明においては、図１３において説明したように、マトリクス表示の各セルにヒット数を表示する例を説明した。この他、マトリクス表示の各セルに、夫々の検索語が夫々の適合文献の適合度にどの程度寄与しているかを示す数値（以降、スコア寄与率）を表示させても良い。このような態様について説明する。
【０１４３】
まず、夫々の文献の適合度及び上述したスコア寄与率の求め方について説明する。夫々の文献の適合度は、以下の式（１）によって求められる。
【数１】
0005309570.tif 000002
ここで、式（１）に示すＳｃｏｒｅnは、夫々の文献における検索語ｎの適合度である。また、式（１）に示すｉは、夫々の文献に含まれる検索語の数である。即ち、検索語ｎとは、一の文献に含まれるｉ個の検索語のうちの１つ（ｎ番目）である。
【０１４４】
また、Ｓｃｏｒｅnは、以下の式（２）によって求められる。
【数２】
0005309570.tif 000003
ここで、式（２）に示すＨｉｔnは、夫々の文献における検索語ｎのヒット数である。また、式（２）に示すＷｅｉｇｈｔnは、検索語ｎの重み値である。
【０１４５】
また、Ｗｅｉｇｈｔnは、以下の式（３）によって求められる。
【数３】
0005309570.tif 000004
ここで、式（３）に示す全登録文献とは、文献情報ＤＢ２００に格納されている全ての文献、即ち、検索対象であるすべての文献数である。また、式（３）に示すＤＦnとは、検索語ｎの文書頻度（Ｄｏｃｕｍｅｎｔ  Ｆｒｅｑｕｅｎｃｙ）である。
【０１４６】
文献情報抽出部１０３は、図１１において説明した情報及び文献情報ＤＢ２００に格納されている全文献数に基づき、上記の式（１）〜（３）を用いて夫々の文献の適合度を算出する。
【０１４７】
このような計算式に基づき、検索語ｎのスコア寄与率は、以下の式（４）によって求められる。
【数４】
0005309570.tif 000005
抽出結果処理部１０４は、文献情報抽出部１０３から受信した文献表示一覧情報に基づき、式（４）に示す計算を実行して夫々の検索語ｎのスコア寄与率を計算し、マトリクス表示の各セルにスコア寄与率が表示された抽出結果表示画面５００を生成する。このような抽出結果表示画面５００の例を図２１に示す。図２１に示すように、マトリクス表示の各セルにスコア寄与率を表示することにより、適合文献として抽出された文献の適合度において、夫々の検索語がどの程度寄与したかを容易に把握することが可能となる。このような情報は、例えば、再検索を実行する際の検索語の修正において有意な情報となる。
【０１４８】
このように、図２１に示す例においては、マトリクス表示における各セルに表示する充足度に関する情報として、夫々の検索語が夫々の適合文献の適合度にどの程度寄与しているかを示す数値であるスコア寄与率を表示する。尚、図２１の例においては、マトリクス表示の各セルにスコア寄与率を表示する例を説明したが。この他、夫々の文献における夫々の検索語ｎの適合度であるＳｃｏｒｅnを表示しても良い。
【０１４９】
実施の形態３．
本実施形態においては、抽出結果処理部１０４による抽出結果表示の他の態様について説明する。実施の形態２においては、図４に示すＳ４１０の処理の結果抽出された文献情報としての特許公報番号を様々な態様で表示する場合を説明した。この他、本実施形態に係る抽出結果処理部１０４は、検索対象である文献情報としての特許公報が含む書誌事項に基づいて抽出結果を解析し、その解析の結果生成された情報を表示するための表示情報を生成する機能を有する。即ち、抽出結果処理部１０４が、解析結果情報を生成する抽出結果解析部及び解析結果表示情報生成部として機能する。抽出結果解析部及び解析結果表示情報生成部は、図２に示すＲＡＭ２０にロードされたプログラムがＣＰＵ１０の制御に従って動作することにより構成される。以下、抽出結果処理部１０４による抽出結果の解析及びその表示態様の例について説明する。
【０１５０】
まず、本実施形態に係る検索対象である文献情報として特許公報が含む書誌情報について説明する。図２２は、特許公報が含む書誌情報の例を示す図である。図２２に示すように、特許公報は、公開番号、出願番号、ＩＰＣ（Ｉｎｔｅｒｎａｔｉｏｎａｌ  Ｐａｔｅｎｔ  Ｃｌａｓｓｉｆｉｃａｔｉｏｎ）、ＦＩ（Ｆｉｌｅ  Ｉｎｄｅｘ）、Ｆターム（Ｆｉｌｅ  Ｆｏｒｍｉｎｇ  Ｔｅｒｍ）、公開年月日、出願年月日、出願人、代理人及び発明者についての情報を含む。即ち、書誌情報とは、検索対象である文献情報に付加されている付加情報である。
【０１５１】
公開番号及び出願番号は、その特許公報の公開時若しくはその特許公報に係る特許出願がされた際に付された番号である。ＩＰＣ、ＦＩ、Ｆタームは、その特許公報に開示されている技術の分野を示す記号情報である。即ち、夫々の文献が開示している情報に含まれる要素をその内容に基づいて分類した要素分類情報である。ここで、特許公報においては、必ずしも一の技術分野に属する技術のみが開示されるとは限らず、また、多分野の技術を組み合わせた発明もある。従って、一の特許公報においては、複数のＩＰＣ、ＦＩ及びＦタームが夫々付され得る。特に、Ｆタームは、夫々の記号が意味する技術が非常に細かく細分化されており、一の特許文献において複数のＦターム記号が付されるのが通例である。
【０１５２】
公開年月日及び出願年月日は、その特許公報の公開日時若しくはその特許公報に係る特許出願がされた日時である。出願人は、その特許公報に係る特許出願を行なった者である。代理人は、その特許公報に係る特許出願に際して手続きを代理する者である。発明者は、その特許公報にかかる特許出願が開示する発明を完成させた者である。出願人、代理人及び発明者は、夫々複数の者が該当する場合があり得る。
【０１５３】
検索対象である特許公報の書誌情報は、文献情報抽出部１０３から抽出結果処理部１０４に入力される文献表示一覧情報には含まれていない。従って、抽出結果処理部１０４は、適合文献である特許公報の書誌情報の解析に際して、文献表示一覧に含まれる特許公報の書誌情報を文献情報ＤＢ２００から取得する。これにより、抽出結果処理部１０４は、適合文献の書誌情報を解析することが可能となる。尚、本実施形態においては、日本国の公開特許公報を対象とするため、要素分類情報としては、図２２に示す通りＩＰＣ、ＦＩ及びＦタームであるが、アメリカ合衆国の特許公報を対象とする場合は、Ｃｕｒｒｅｎｔ  ＵＳ  Ｃｌａｓｓｉｆｉｃａｔｉｏｎ等を用いることも可能である。
【０１５４】
図２３は、特許公報が有する書誌情報のうち、ＩＰＣに基づいて抽出結果を解析し、夫々の特許公報に含まれるＩＰＣを集計して件数順に表示した状態を示す図である。尚、このような解析結果を表示する場合、ユーザは表示態様選択部５０１を“書誌情報解析”に切り換える。表示態様選択部５０１を“書誌情報解析”に切り換えると、図２２に示すように、解析態様選択部５０３が表示される。解析態様選択部５０３を切り換えることにより、様々な解析態様を表示させることが可能となる。尚、図２３の表示においては、解析態様選択部５０３の選択を“ＩＰＣ件数”とする。
【０１５５】
ここで、ユーザが表示態様選択部５０１を切り換える処理は、クライアント装置２において実行される処理である。従って、情報検索装置１は、クライアント装置２において表示態様選択部５０１が切り換えられたことを示す情報（以降、表示態様切換指示情報とする）をネットワークＩ／Ｆ１２０を介してクライアント装置２から受信する。ネットワークＩ／Ｆ１２０が受信した表示態様切換指示情報は、ネットワークＩ／Ｆ１２０から検索制御部１００に入力され、抽出結果処理部１０４が取得する。これにより、抽出結果処理部１０４が指定された表示態様に従って抽出結果の解析を実行する。即ち、抽出結果処理部１０４が抽出結果解析部として機能する。抽出結果解析部は、図２に示すＲＡＭ２０にロードされたプログラムがＣＰＵ１０の制御に従って動作することにより構成される。
【０１５６】
上記表示態様切換指示情報には、解析態様選択部５０３の選択状態に関する情報も含まれる。図２３の例においては、“ＩＰＣ件数”が選択されているため、表示態様切換指示情報には、ＩＰＣ件数に基づいて解析した表示態様に切り換えることを指示する情報が含まれる。
【０１５７】
次に、図２３に示す抽出結果表示画面５００を生成する処理について、図２４を参照して説明する。図２４の例においては、図２３に示すように、解析態様選択部５０３の選択状態が“ＩＰＣ件数”である場合を例として説明する。抽出結果処理部１０４は、上述した表示態様切換指示情報を受信すると、適合文献として抽出された文献に付された全てのＩＰＣを抽出する（Ｓ２４０１）。図２５に、Ｓ２４０１の処理の結果生成される情報を示す。図２５に示すように、Ｓ２４０１においては、適合文献に付された全てのＩＰＣが列挙される。
【０１５８】
適合文献に付された全ＩＰＣの抽出が完了すると、抽出結果処理部１０４は、抽出されたＩＰＣのうち、一のＩＰＣを参照する（Ｓ２４０２）。そして、適合文献として抽出された文献のうち、参照中のＩＰＣが付されている適合文献の数をカウントする（Ｓ２４０３）。抽出結果処理部１０４は、Ｓ２４０２及びＳ２４０３の処理を、Ｓ２４０１において抽出された全ＩＰＣについて完了するまで繰り返し（Ｓ２４０４／ＮＯ）、全ＩＰＣについて完了したら（Ｓ２４０４／ＹＥＳ）、夫々のＩＰＣ毎のカウント数を表示するための表示情報を生成して（Ｓ２４０５）、処理を終了する。このような処理により、図２３に示す画面を表示するための情報が生成される。即ち、抽出結果処理部１０４が解析結果表示情報生成部として機能する。解析結果表示情報生成部は、図２に示すＲＡＭ２０にロードされたプログラムがＣＰＵ１０の制御に従って動作することにより構成される。
【０１５９】
図２３の例においては、図４において説明したＳ４１０において抽出された特許公報のうち、ＩＰＣとして“Ｇ０６Ｆ１７／３０”が付されているものが８２１件あり、“Ｇ０６Ｆ１４／４０”が付されているものが５９件あることを示している。図２３に示すように、“（ＩＰＣ件数解析一覧）”の抽出結果表示画面５００においては、夫々のＩＰＣ記号が付されている適合文献の件数が、夫々のＩＰＣ記号及びそのＩＰＣ記号において特徴的な言葉、即ち、夫々の付加情報に関連する関連情報と関連付けて表示されている。このような表示により、ユーザは、抽出結果において含まれるＩＰＣ記号の傾向及び夫々のＩＰＣ記号において特徴的な言葉を容易に一覧して把握することが可能となる。尚、図２３に示すのはＩＰＣに基づいて抽出結果を解析した例であるが、ＦＩ若しくはＦタームにおいても同様に適用可能である。
【０１６０】
ここで、上述したように、特許公報に付されているＩＰＣ記号は１つとは限らない。本実施形態に係る抽出結果処理部１０４は、一の特許公報に付されているＩＰＣの組み合わせを解析し、夫々の特許公報に含まれるＩＰＣの組み合わせを集計して件数順に表示する機能を有する。図２６は、２つのＩＰＣの組み合わせを解析し、件数順に表示した抽出結果表示画面５００を示す図である。図２６に示すように、２つのＩＰＣの組み合わせを解析する場合は、解析態様選択部５０３の選択を“ＩＰＣ×２件数”に切り換える。図２６の例においては、図４のＳ４１０において抽出された特許公報のうち、ＩＰＣとして“Ｇ０６Ｆ１７／３０”及び“Ｇ０６Ｆ１５／４０”が付されているものが５５件あり、“Ｇ０６１７／３０”及び“Ｇ０６Ｆ１７／２１”が付されているものが３４件あることを示している。
【０１６１】
また、図２７は、抽出結果処理部１０４が３つのＩＰＣの組み合わせを解析し、件数順に表示した抽出結果表示画面５００を示す図である。図２７に示すように、３つのＩＰＣの組み合わせを解析する場合は、解析態様選択部５０３の選択を“ＩＰＣ×３件数”に切り換える。  図２６の例においては、Ｓ３０６において抽出された特許公報のうち、ＩＰＣとして“Ｇ０６Ｆ１７／３０”、“Ｇ０６Ｆ１５／４０”及び“Ｇ０６Ｔ１／００”の３つが付されているものが５件あり、“Ｇ０６１７／３０”、“Ｇ０６Ｆ１７／２１”及び“Ｇ０６Ｆ１５／２０”の３つが付されているものが４件あることを示している。
【０１６２】
上述した表示態様選択部５０１の切り換え処理と同様、解析態様選択部５０３の切り換え処理も、クライアント装置２において実行される処理である。従って、情報検索装置１は、クライアント装置２において解析態様選択部５０３が切り換えられたことを示す情報（以降、解析態様切換指示情報とする）をネットワークＩ／Ｆ１２０を介してクライアント装置２から受信する。
【０１６３】
ネットワークＩ／Ｆ１２０が受信した解析態様切換指示情報は、ネットワークＩ／Ｆ１２０から検索制御部１００に入力され、抽出結果処理部１０４が取得する。これにより、抽出結果処理部１０４が指定された解析態様に従って抽出結果の解析を実行する。図２３、図２６及び図２７に示す態様においては、解析態様選択部５０３の切り換えによって切り換えられるのは、抽出結果を解析する際に参照するＩＰＣの数である。例えば、解析態様選択部５０３において“ＩＰＣ×２件数”が選択されれば、抽出結果を解析するＩＰＣの組み合わせとして２つのＩＰＣの組み合わせが付与された低号文献をカウントすることが指示される。即ち、図２６、図２７の態様においては、解析態様切換指示情報は、付加情報の数を指定する付加情報数指定情報として用いられる。即ち、抽出結果処理部１０４が付加情報数指定情報取得部として機能する。付加情報数指定情報取得部は、図２に示すＲＡＭ２０にロードされたプログラムがＣＰＵ１０の制御に従って動作することにより構成される。
【０１６４】
次に、図２６若しくは図２７に示す抽出結果表示画面５００を生成する処理について説明する。図２８は、図２６に示すように、解析態様選択部５０３の選択状態が“ＩＰＣ×２件数”である場合において、抽出結果表示画面５００を生成する処理を示すフローチャートである。抽出結果処理部１０４は、上述した表示態様切換指示情報を受信すると、適合文献として抽出された文献に付された全てのＩＰＣ２つの組み合わせを抽出する（Ｓ２８０１）。図２９に、Ｓ２８０１の処理の結果生成される情報を示す。図２９に示すように、Ｓ２８０１においては、適合文献に付された全てのＩＰＣ２つの組み合わせが列挙される。
【０１６５】
適合文献に付されたＩＰＣ２つの組み合わせの抽出が完了すると、抽出結果処理部１０４は、抽出されたＩＰＣの組み合わせうちの１つを参照する（Ｓ２８０２）。そして、適合文献として抽出された文献のうち、参照中のＩＰＣの組み合わせが付されている適合文献の数をカウントする（Ｓ２８０３）。抽出結果処理部１０４は、Ｓ２８０２及びＳ２８０３の処理を、Ｓ２８０１において抽出された全ＩＰＣの組み合わせについて完了するまで繰り返し（Ｓ２８０４／ＮＯ）、全ＩＰＣについて完了したら（Ｓ２８０４／ＹＥＳ）、各ＩＰＣの組み合わせ毎のカウント数を表示するための表示情報を生成して（Ｓ２８０５）、処理を終了する。このような処理により、図２６に示す画面を表示するための情報が生成される。
【０１６６】
このように、夫々のＩＰＣ毎に夫々の特許公報に含まれる数を集計して件数を表示することに加え、複数のＩＰＣの組み合わせ毎に夫々の特許公報に含まれる数を集計して表示することにより、ユーザによる抽出結果解析においてより有効な情報表示を行なうことが可能となる。また、上記の説明においては、２つのＩＰＣの組み合わせ及び３つのＩＰＣの組み合わせについての場合を例として示したが、４つ以上であっても同様に適用可能である。
【０１６７】
図２３、図２６、図２７においては、夫々のＩＰＣの表示順として、夫々のＩＰＣを含む特許公報の件数順に表示する例を説明した。このような表示としては、書誌情報の傾向を把握するためには有効である。しかしながら、解析対象の書誌情報によっては、他の並び順が有効である場合もあり得る。以下、抽出結果処理部１０４による解析結果の表示態様についての他の例を説明する。
【０１６８】
図３０は、図２３に示す解析結果の並び順をＩＰＣの種類順に変更した例を示す抽出結果表示画面５００を示す図である。ＩＰＣ、ＦＩ等、文献の内容種別を示す情報は、類似する内容順に構成されている場合がある。そのような場合、抽出結果処理部１０４による解析結果を、ＩＰＣの種類に従って表示することにより、適合文献として抽出された特許公報において、類似する技術が含まれる傾向を容易に把握することが可能となる。
【０１６９】
図３１は、特許公報が有する書誌情報のうち、出願年に基づいて抽出結果を解析し、夫々の特許公報の出願年を集計して表示した状態を示す図である。図３１の例においては、夫々の出願年における特許公報の件数ではなく、出願年に従って情報が並べられている。これにより、検索対象の技術に対する出願件数の経年的な傾向を容易に把握することが可能となる。尚、図３１に示すのは出願年に基づいて抽出結果を解析した例であるが、出願年月若しくは出願年月日においても同様に適用可能である。また、公開年、公開年月若しくは公開年月日についても同様に適用可能である。
【０１７０】
図２３から図３０に示す画面への切り換えに際しては、ユーザがクライアント装置２を操作してソートの基準となる項目を示す情報（以降、並べ替え条件情報とする）を指定する。情報検索装置１は、並べ替え条件情報をネットワークＩ／Ｆ１２０を介してクライアント装置２から受信する。ネットワークＩ／Ｆ１２０が受信した並べ替え条件情報は、ネットワークＩ／Ｆ１２０から検索制御部１００に入力され、抽出結果処理部１０４が取得する。抽出結果処理部１０４は、取得した並べ替え条件情報に基づいて、ソート後の抽出結果表示画面５００を表示するための情報を生成する。
【０１７１】
次に、図３０若しくは図３１に示す態様のように、ソートを実行する処理について図３２を参照して説明する。図３２は、図３１に示すように、出願年に基づいてソートを実行する際のソート切換動作を示すフローチャートである。抽出結果処理部１０４は、先ず並べ替え条件情報を取得する（Ｓ３２０１）。そして、取得した並べ替え条件情報から出願年に基づいてソートを実行することを認識すると、各出願年毎のカウント結果項目のうち、出願年が最も若い項目を取得し（Ｓ３２０２）、取得した項目を表示するための表示情報を生成する（Ｓ３２０３）。Ｓ３２０２及びＳ３２０３の処理によって取得された項目は、以降の処理において取得対象には含めない。抽出結果処理部１０４は、Ｓ３４０２及びＳ３４０３の処理を、解析結果として生成された全項目、即ち、全出願年について完了するまで繰り返し（Ｓ３２０４／ＮＯ）、全項目について完了したら（Ｓ３２０４／ＹＥＳ）、処理を終了する。このような処理により、図３１に示す画面を表示するための情報が生成される。
【０１７２】
図３０、図３１に示した例に限らず、解析対象となる書誌情報の性質に基づいて並べ替えることにより、ユーザによる情報解析を容易化する表示を行なうことができる。例えば、図２２に示す書誌情報のうち、出願人、代理人若しくは発明者について解析を行なう場合、例えば５０音順、イニシャル順等の表示が可能である。また、上述した通り、出願人、代理人若しくは発明者は複数含まれる場合があり得るため、図２６及び図２７において説明したような組み合わせによる解析が可能である。
【０１７３】
以上説明したように、本実施形態に係る情報検索装置により、検索対象の情報にその情報の内容に応じた分類情報が付されている場合において、付されている分類情報に基づいた検索結果表示の態様を、図２６、図２７に示すようにユーザの理解を助けるより有効な態様とすることが可能となる。
【０１７４】
また、本実施形態に係る情報検索装置により、検索条件に適合するものとして抽出された情報の一覧表示において、図３０、図３１に示すようにユーザの理解を助けるように表示順序の設定が可能となる。
【０１７５】
尚、上記実施の形態１から３は、文献情報として公開特許公報を検索する場合の例であるが、例えば、図書館等の蔵書を検索する場合にも適用可能である。その場合、上記の説明におけるＩＰＣ等の分類情報は日本十進分類法の分類番号等、図書を分類する情報となる。
【０１７６】
また、上記実施の形態１から３の説明においては、文献情報ＤＢ２００が情報検索装置１とは別に設けられているが、文献情報ＤＢ２００を情報検索装置１内部の記憶領域に構成することも可能である。また、上記の説明においては、情報検索装置１と文献情報ＤＢ２００とが図３に示すように直接接続されている例を説明したが、例えば、ネットワークＩ／Ｆ１２０を介して、ネットワークにより接続されていても良い。
【０１７７】
同様に、上記の説明においては、辞書情報ＤＢ１４０が情報検索装置１内部に設けられている例を説明した。この他、辞書情報ＤＢ１４０を情報検索装置１とは別の装置、例えば、ネットワークに接続されたサーバとして構成しても良い。この場合、情報検索装置１は、ネットワークＩ／Ｆ１２０を介して辞書情報ＤＢ１４０にアクセスし、上述した類義語の検索を行なう。
【０１７８】
また、上記の説明においては、ユーザがクライアント装置２を操作し、ネットワークを介してサーバとして機能する情報検索装置１の機能を利用する例を説明した。この他、図３に示す情報入力部１１０及び表示部１３０を用いて、ユーザが情報検索装置１を直接操作することも可能である。これによっても、上記と同様の効果を得ることが可能である。また、上記説明した各機能の一部をクライアント装置２において実行することも可能である。また、上記の説明においては、検索制御部１００の機能を一の情報検索装置１において実現する例を説明したが、複数のサーバが連動して上記情報検索装置１の機能を実現することも可能である。
【図面の簡単な説明】
【０１７９】
【図１】本発明の実施形態に係る情報検索システムの運用形態を示す図である。
【図２】本発明の実施形態に係る情報検索装置のハードウェア構成を模式的に示すブロック図である。
【図３】本発明の実施形態に係る情報検索装置の機能構成を示すブロック図である。
【図４】本発明の実施形態に係る情報検索装置の動作を示すシーケンス図である。
【図５】本発明の実施形態に係る情報検索装置の検索条件指定画面の表示例を示す図である。
【図６】本発明の実施形態に係る情報検索装置の抽出条件表示情報生成動作を示す図である。
【図７】本発明の実施形態に係る情報検索装置の検索語特定態様を示す図である。
【図８】本発明の実施形態に係る情報検索装置の抽出条件情報表示画面の表示例を示す図である。
【図９】本発明の実施形態に係る情報検索装置の検索過程において生成される情報を示す図である。
【図１０】本発明の実施形態に係る情報検索装置の検索過程における動作を示すフローチャートである。
【図１１】本発明の実施形態に係る情報検索装置の検索過程における情報処理態様を示す図である。
【図１２】本発明の実施形態に係る情報検索装置の抽出結果表示画面の表示例を示す図である。
【図１３】本発明の実施形態に係る情報検索装置の抽出結果表示画面の表示例を示す図である。
【図１４】本発明の他の実施形態に係る情報検索装置の抽出条件情報表示画面の表示例を示す図である。
【図１５】本発明の他の実施形態に係る情報検索装置の抽出条件情報表示画面の表示例を示す図である。
【図１６】本発明の他の実施形態に係る情報検索装置の抽出条件情報表示画面の表示例を示す図である。
【図１７】本発明の他の実施形態に係る情報検索装置の検索語ヒット箇所表示画面を示す図である。
【図１８】本発明の他の実施形態に係る情報検索装置の抽出結果表示画面の表示例を示す図である。
【図１９】本発明の他の実施形態に係る情報検索装置の抽出結果表示画面の表示例を示す図である。
【図２０】本発明の他の実施形態に係る情報検索装置の抽出結果表示画面の表示例を示す図である。
【図２１】本発明の他の実施形態に係る情報検索装置の抽出結果表示画面の表示例を示す図である。
【図２２】本発明の他の実施形態に係る情報検索装置の検索対象に含まれる書誌情報の例を示す図である。
【図２３】本発明の他の実施形態に係る情報検索装置の抽出結果表示画面の表示例を示す図である。
【図２４】本発明の他の実施形態に係る情報検索装置の抽出結果解析動作を示すフローチャートである。
【図２５】本発明の他の実施形態に係る情報検索装置の抽出結果解析動作において生成される情報を示す図である。
【図２６】本発明の他の実施形態に係る情報検索装置の抽出結果表示画面の表示例を示す図である。
【図２７】本発明の他の実施形態に係る情報検索装置の抽出結果表示画面の表示例を示す図である。
【図２８】本発明の他の実施形態に係る情報検索装置の抽出結果解析動作を示すフローチャートである。
【図２９】本発明の他の実施形態に係る情報検索装置の抽出結果解析動作において生成される情報を示す図である。
【図３０】本発明の他の実施形態に係る情報検索装置の抽出結果表示画面の表示例を示す図である。
【図３１】本発明の他の実施形態に係る情報検索装置の抽出結果表示画面の表示例を示す図である。
【図３２】本発明の他の実施形態に係る情報検索装置の情報並べ替え動作を示すフローチャートである。
【符号の説明】
【０１８０】
１    情報検索装置
２    クライアント装置
１０    ＣＰＵ
２０    ＲＡＭ
３０    ＲＯＭ
４０  ＨＤＤ
５０    Ｉ／Ｆ
６０    ＬＣＤ
７０    操作部
８０    バス
１００    検索制御部
１０１    指定条件情報取得部
１０２    指定条件情報解析部
１０３    文献情報抽出部
１０４    抽出結果処理部
１１０    情報入力部
１２０    ネットワークＩ／Ｆ
１３０    表示部
１４０    辞書情報ＤＢ
２００    文献情報ＤＢ
３００    検索条件指定画面
３０１    検索対象指定部
３０２    検索条件指定部
３０３    検索条件入力部
４００    抽出条件情報表示画面
４０１    検索語表示部
４０２    辞書展開指示部
４０３    検索実行指示部
５００    抽出結果表示画面
５０１    表示態様選択部
５０２    抽出結果表示部
５２１    ソート指示部
５２２    検索語ヒット箇所表示指示部
６００    検索語ヒット箇所表示画面
６０１    前後文表示部
６０２    ヒット箇所表示部
【図１】
0005309570.tif 000006
【図２】
0005309570.tif 000007
【図３】
0005309570.tif 000008
【図４】
0005309570.tif 000009
【図５】
0005309570.tif 000010
【図６】
0005309570.tif 000011
【図７】
0005309570.tif 000012
【図８】
0005309570.tif 000013
【図９】
0005309570.tif 000014
【図１０】
0005309570.tif 000015
【図１１】
0005309570.tif 000016
【図１２】
0005309570.tif 000017
【図１３】
0005309570.tif 000018
【図１４】
0005309570.tif 000019
【図１５】
0005309570.tif 000020
【図１６】
0005309570.tif 000021
【図１７】
0005309570.tif 000022
【図１８】
0005309570.tif 000023
【図１９】
0005309570.tif 000024
【図２０】
0005309570.tif 000025
【図２１】
0005309570.tif 000026
【図２２】
0005309570.tif 000027
【図２３】
0005309570.tif 000028
【図２４】
0005309570.tif 000029
【図２５】
0005309570.tif 000030
【図２６】
0005309570.tif 000031
【図２７】
0005309570.tif 000032
【図２８】
0005309570.tif 000033
【図２９】
0005309570.tif 000034
【図３０】
0005309570.tif 000035
【図３１】
0005309570.tif 000036
【図３２】
0005309570.tif 000037